(57)【要約】【課題】ユーザにかかるテレビ電話通信時の料金を抑えられ、さらに通信しながら他の情報を取得することができ、テレビ電話通信の普及を促進することができる、テレビ電話通信を利用した広告情報配信システムを提供することである。【解決手段】テレビ電話通信を行う際、従来から使用されている回線交換方式に加え、パケット交換方式で広告情報を取得し、その情報をテレビ電話発信した移動機の表示画像と合成して表示する。【選択図】図１
2007235539.tif 000002
【特許請求の範囲】
【請求項１】
テレビ電話通信時に、テレビ電話通信を行う端末装置にて、回線交換方式でのテレビ電話通信に加えて、広告情報を受信し、該テレビ電話通信の画像以外に前記広告情報を表示することを特徴とするテレビ電話通信を利用した広告情報配信システム。
【請求項２】
前記端末装置が、該テレビ電話通信の画像として通信相手からの画像と自身にて撮影した画像とを表示し、前記通信相手からの画像を縮小表示し、空いたスペースに前記広告情報を表示することを特徴とする請求項１に記載のテレビ電話通信を利用した広告情報配信システム。
【請求項３】
前記端末装置が前記広告情報の受信をパケット交換方式の通信で行うことを特徴とする請求項１に記載のテレビ電話通信を利用した広告情報配信システム。
【請求項４】
前記広告情報を前記端末装置に対して送信する広告配信サーバを備えたことを特徴とする請求項１に記載のテレビ電話通信を利用した広告情報配信システム。
【請求項５】
前記広告配信サーバが、前記端末装置が表示した広告情報を管理し、該テレビ電話通信に対する課金のうち該広告情報の表示に応じて広告主が負担する負担通信料を決定することを特徴とする請求項４に記載のテレビ電話通信を利用した広告情報配信システム。
【請求項６】
前記広告配信サーバが、前記負担通信料を、テレビ電話通信に対する課金を管理する課金ゲートウェイに対して通知することを特徴とする請求項５に記載のテレビ電話通信を利用した広告情報配信システム。
【請求項７】
前記端末装置が移動体通信の移動機であることを特徴とする請求項１ないし６のうちのいずれか１項に記載のテレビ電話通信を利用した広告情報配信システム。
【請求項８】
請求項１ないし７のうちのいずれか１項に記載の端末装置。
【発明の詳細な説明】
【技術分野】
【０００１】
本発明は、携帯電話などを用いてＴＶ電話通信（テレビ電話通信）を利用する場合に、広告情報も配信することができるテレビ電話通信を利用した広告情報配信システムに関する。
【背景技術】
【０００２】
最近では、通信技術が進歩し、伝送速度の高速化、広帯域化が進み、電話通信において音声と同時に動画をも送受信するテレビ電話通信が実現されている。
【０００３】
たとえば特許文献１に記載のテレビ電話機能つき携帯電話端末では、テレビ電話による通話を行うと同時にデータ通信を行うマルチアクセス機能を有し、相手局に対して、マルチアクセス機能により行われている自局のデータ通信による表示情報を送信画像として、もしくは他の送信画像と合成して送信することにより、相手方に対してマルチアクセス機能で取得したデータ通信情報をリアルタイムで共有化することを可能としている。
【特許文献１】特開２００４−２２８８０５号公報
【発明の開示】
【発明が解決しようとする課題】
【０００４】
ところが、携帯電話などでテレビ電話通信を利用する場合、音声通話やメールを利用した通信と比較し、ユーザの負担通信料が高くなり、テレビ電話普及の障害となっている。
【０００５】
さらに説明すると、従来、携帯電話などでテレビ電話通信を利用する場合、通信データ量に応じて課金される従量課金方式が用いられており、音声通話やメールを利用した通信と比較してデータ量が多いことからユーザが負担する通信料金が高くなり、テレビ電話普及の障害となっている。
【０００６】
ところで、国際標準組織の３ＧＰＰで標準化されている第３世代無線通信システムであるＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）では、回線交換ドメインとパケット交換ドメインとでそれぞれ位置管理が行われ、回線交換サービスおよびパケット交換サービスが提供されるが、現在のテレビ電話通信は回線交換のみを利用してサービスが提供されている。
【０００７】
また、ある移動機で回線交換ドメインとパケット交換ドメインのサービスを同時に利用する技術はマルチアクセス通信またはマルチコール通信と呼ばれ、特許文献１にも記載のように既知の技術である。別の例として、音声通話（回線交換を利用）中にＷｅｂアクセス（パケット交換を利用）をする機能も、すでに実現されている。
【０００８】
本発明は上記の点にかんがみてなされたもので、ユーザにかかるテレビ電話通信時の料金を抑えられ、さらに通信しながら他の情報を取得することができ、テレビ電話通信の普及を促進することができる、テレビ電話通信を利用した広告情報配信システムを提供することを目的とする。
【課題を解決するための手段】
【０００９】
本発明は、テレビ電話通信を行う際、従来から使用されている回線交換方式に加え、パケット交換方式で広告情報を取得し、その情報をテレビ電話発信した移動機の表示画像と合成して表示する。
【００１０】
移動機が表示した情報量に応じて、広告提供者が、移動機ユーザに課金される広告情報提供時のテレビ電話通信料の一部および広告情報受信料を負担する。
【００１１】
ユーザはテレビ電話通信時の料金を抑えられ、さらに通信しながら他の情報を取得することができる。
【００１２】
移動通信網の提供業者は、テレビ電話の普及により通信料拡大できるといった効果が期待できるのは勿論であるが、一般的なテレビ電話通信時よりも、広告提供者が負担するパケット交換での広告情報配信料の分、通信料が拡大できるといった効果がある。
【００１３】
広告提供者にとっても、事前に登録されたユーザ情報からユーザの需要に合った情報を、身近なツールである携帯電話を介して提供することが可能であり、広告効果が期待できる。
【００１４】
図１は、本発明によるテレビ電話通信を利用した広告情報配信システムの一実施の形態のシステム構成を示すブロック図であり、図６は、テレビ電話通信で用いられる移動機の表示画面に表示される内容の例を示す図であり、（ａ）は従来のテレビ電話通信で用いられる移動機の表示画面の表示領域１２８を示す図であり、（ｂ）は図１に示した広告情報配信システムの移動機の表示画面の表示領域１２９を示す図である。
【００１５】
図１における移動機１は、広告配信サーバ７より取得した広告情報を通常のテレビ電話通信画像と合成して表示する（図６（ｂ）の表示領域１２９参照）。
【００１６】
広告配信サーバ７は、サービスに加入している移動機１からの要求に応じて、広告情報を配信する。広告配信サーバ７は、配信したデータ量などから、課金ゲートウェイ６へ該当ユーザに対する負担通信料を通知し、広告提供者（広告主）がこれを支払う。これによって、ユーザはテレビ電話通信時にかかる通信料を抑えることができる。
【発明の効果】
【００１７】
本発明によれば、ユーザはテレビ電話通信時の料金を抑えられ、さらに通信しながら他の情報を取得することができ、テレビ電話普及促進が期待される。
【００１８】
移動通信網の提供業者は、テレビ電話の普及により通信料拡大できるといった効果が期待できるのは勿論であるが、一般的なテレビ電話通信時よりも、広告提供者が負担するパケット交換での広告情報配信料の分、通信料が拡大できるといった効果がある。
【００１９】
広告提供者にとっても、事前に登録されたユーザ情報からユーザの需要に合った情報を、身近なツールである携帯電話を介して提供することが可能であり、広告効果が期待できる。
【００２０】
また、本発明によれば、どんな情報（画像、映像など）をどれだけ（表示時間、表示データ量など）表示したかという情報を管理することができ、この広告表示情報を利用して、広告提供業者が発信者（ユーザ）の通信料金の一部を負担し、発信者は割安な料金でテレビ電話通信を行うことが可能となる。
【００２１】
また、本発明によれば、受信したテレビ電話通信の相手の画像を縮小処理し、縮小によって空いたスペースに広告情報（画像データ、映像データ）を入れ込んで表示することができる。これは発信側でのみ備えていればよい機能であり、着信側では従来どおりのテレビ電話通信の機能を備えていればよく、着信側では広告配信ということを特に意識する必要はない。
【００２２】
また、状況により、テレビ電話通信の相手に人物だけではなく風景も伝えたい場合や、風景だけを伝えたい場合もあると考えられる。本発明によれば、このような状況にも対応することができる。
【００２３】
また、本発明によれば、テレビ電話通信の発信者へ送信した広告情報の表示回数やデータ容量などに応じて、広告配信サーバ側で課金費用を割り出すことができる。
【発明を実施するための最良の形態】
【００２４】
次に、本発明の実施の形態について図面を参照して詳細に説明する。
【００２５】
図１は、本発明によるテレビ電話通信を利用した広告情報配信システムの一実施の形態のシステム構成を示すブロック図である。
【００２６】
図１において、本発明は、移動機１、基地局２、ＲＮＣ３、回線交換網４、パケット交換網５、課金ゲートウェイ６を有して構成される。さらに移動機１に広告情報を配信するための広告配信サーバ７も備える。
【００２７】
移動機１は、テレビ電話通信を行う端末装置であり、無線インタフェース１０１（図２参照）を介して基地局２と接続され、その他の有線回線はＡＭＴプロトコルまたはＩＰで接続される。基地局２と移動機１とは無線送受信を行う。
【００２８】
ＲＮＣ３は無線ネットワーク制御装置であり、無線リソースの管理、基地局１の制御等を行う。
【００２９】
回線交換網４は回線交換サービスを提供するコア・ネットワークであり、回線交換接続によって移動機１の通信回線を設定する。
【００３０】
パケット交換網５はパケット交換サービスを提供するコア・ネットワークであり、移動機１の位置管理、パケットのルーティング機能と転送機能、無線リソース管理などの機能を有する。
【００３１】
課金ゲートウェイ６は、移動通信網の提供業者によって、インターネット網とコア・ネットワークとの間に配置される装置で、課金を代行する機能を保持する。
【００３２】
広告配信サーバ７は、インターネット網に配置され、テレビ電話通信の発信をする移動機１からの要求に応じて、広告情報を送信する。
【００３３】
本実施の形態におけるテレビ電話通信機能を実現する移動機１の内部構成を図２に示す。
【００３４】
３Ｇ−３２４Ｍ（１０８）は、３ＧＰＰにより規定されているテレビ電話プロトコルであり、その動画像ＣｏｄｅｃにはＨ．２６３またはＭＰＥＧ４（１０５）、音声ＣｏｄｅｃにはＡＭＲ（Ａｄａｐｔｉｖｅ  Ｍｕｌｔｉ  Ｒａｔｅ）（１０６）、通信制御方式としてＨ．２４５（１０７）が使用される。
【００３５】
音声の入出力デバイス１１０には、マイクやスピーカが使用される。
【００３６】
動画像の入出力デバイス（１１１、１１３）にはカメラ、ディスプレイが使用される。
【００３７】
Ｈ．２４５は、相互端末間（移動機どうしの間）でテレビ電話通信機能を正常に実現するための制御（サポート可能な音声／動画像Ｃｏｄｅｃの種類、画面サイズなどの通知）などを行い、Ｈ．２４５上でシステム制御１０９が動作する。
【００３８】
さらに、多重／分離処理としてＨ．２２３  ＡｎｎｅｘＢ（１０４）が使用される。
【００３９】
無線プロトコル処理部１０２では、無線インタフェース１０１を介して受信されるデータがパケット交換データであれば、広告情報処理部１０３に渡し、回線交換データであれば、３Ｇ−３２４Ｍ処理部１０８へと渡す。
【００４０】
広告情報処理部１０３では、図１に示した広告配信サーバ７との間でメッセージ送受信制御を行い、受信した広告情報のＤｅｃｏｄｅ処理などを担う。
【００４１】
表示制御１１２では、テレビ電話の動画像を縮小処理し、広告処理部でのＤｅｃｏｄｅ出力と合成し、ビデオ出力デバイス１１３に表示する（図６（ｂ）の表示領域１２９参照）。
【００４２】
図６は、テレビ電話通信で用いられる移動機の表示画面に表示される内容の例を示す図であり、（ａ）は従来のテレビ電話通信で用いられる移動機の表示画面の表示領域１２８を示す図であり、（ｂ）は図１に示した広告情報配信システムの移動機の表示画面の表示領域１２９を示す図である。
【００４３】
図６（ａ）に示すように、従来の表示領域１２８では、受信画面領域に通話相手の画像が表示され、送信画像領域に自分の画像が表示される。これに対して、本実施の形態の移動機１では、図６（ｂ）に示すように、表示領域１２９において、受信画面領域に通話相手の画像を縮小して表示し、縮小により空いたスペースに広告情報を表示するよう制御している。
【００４４】
また、図示はしないが、移動機１は、広告情報を処理するのに十分なメモリ、処理能力を持つ。広告配信サーバ７も、移動機１からの要求メッセージを処理し、移動機１に広告情報を送信するための十分なメモリ、処理能力を持つ。
【００４５】
次に、本実施の形態の動作について説明する。
【００４６】
図３は、図１に示したテレビ電話通信を利用した広告情報配信システムの動作を示すフローチャートであり、移動機１のテレビ電話通信の発信時の動作を示す図である。
【００４７】
図３に示すように、移動機１がテレビ電話通信の発信を開始する（ステップ１１４）と、パケット交換網５に接続する（ステップ１１５）。
【００４８】
パケット交換網５への接続が完了すると、広告情報処理部１０３にてデータ要求メッセージを生成し、無線インタフェース１０１を介して広告配信サーバ７へメッセージを送信する（ステップ１１６）。このメッセージには、サービス登録者か否かを識別するためのユーザＩＤ、必要な広告情報を示す要求広告番号、移動機１が使用可能なメモリ最大サイズ（広告情報を一時的に格納可能な最大メモリサイズ）などが含まれる。
【００４９】
移動機１が、広告配信サーバ７より応答メッセージを受信する（ステップ１１７）と、そのメッセージに含まれるデータ種別（テキスト情報、静止画情報、動画情報なのかを示す）、再生回数、再生時間、広告表示サイズなどの情報をメモリに記録する（ステップ１１８）。
【００５０】
また、移動機１は、広告配信サーバ７からの広告情報を受信すると、メモリに記録し（ステップ１１９）、受信完了応答メッセージを広告配信サーバ７に送信する（ステップ１２０）。
【００５１】
さらに、移動機１は、メモリに記録した広告情報を広告情報処理部１０３にて、データ種別に応じてＤｅｃｏｄｅ処理し、その出力データを表示制御部１１２へ送信する（ステップ１２１）。
【００５２】
表示制御部１１２では、広告表示サイズに応じて通常のテレビ電話画像を縮小処理した画像と広告情報とを合成処理し、ビデオ出力デバイス１１３に表示する（ステップ１２２）。広告データの再生回数が複数回設定されている場合は、メモリに記憶されている広告データを設定回数ループして表示する。
【００５３】
再生（広告配信サーバ７からの応答メッセージに基づく広告データの表示）が終了すると、要求広告番号をインクリメントして、広告配信サーバ７に追加のデータ要求メッセージを送信し、上記処理を繰り返す（ステップ１２３）。
【００５４】
図４は、図１に示したテレビ電話通信を利用した広告情報配信システムの動作を示すフローチャートであり、移動機１のテレビ電話通信の終話時の動作を示す図である。
【００５５】
図４のように、移動機１がテレビ電話通信終了を検知すると（ステップ１２４）、広告情報処理部１０３および表示制御部１１２での処理を終了させ（ステップ１２５）、パケット交換網５との接続を終了させる（ステップ１２６、１２７）。
【００５６】
図５は、図１に示したテレビ電話通信を利用した広告情報配信システムの動作を示すフローチャートであり、広告配信サーバ７の動作を示す図である。
【００５７】
図５に示すように、広告配信サーバ７では、移動機１からの広告情報要求メッセージを受信する（ステップ７０１）と、そのメッセージに含まれるユーザＩＤ、要求広告番号、メモリ最大サイズなどの情報を読み取りメモリに記録する（ステップ７０２）。
【００５８】
ユーザ識別が成功すると、送るべき広告情報を決定し、データ種別、再生回数などの情報を含めた、応答メッセージを移動機１に送信する（ステップ７０３）。次に決定された広告情報を移動機１に送信する（ステップ７０４）。
【００５９】
広告配信サーバ７で、移動機１からの受信完了メッセージを受信するか、予め決められている送信タイムアウト時間となれば（ステップ７０５）、課金ゲートウェイ６に該当移動機１に対する負担通信料を通知する（ステップ７０６、７０７）。この負担通信料は、たとえば広告主が負担し、その分、移動機１のユーザに対するテレビ電話通信にかかる課金が軽減される。
【００６０】
負担通信料は、広告データ量、再生回数などに応じて決定される。したがい、テレビ電話通信時間が長い場合、一度のテレビ電話通信時に複数回の広告配信要求が発生することがあり、その都度課金ゲートウェイ６への通知が行われ、通信時間に応じた通信料負担が実現できる。
【００６１】
以上説明したように本発明によれば、ユーザはテレビ電話通信時の料金を抑えられ、さらに通信しながら他の情報を取得することができ、テレビ電話普及促進が期待される。
【００６２】
また、移動通信網の提供業者は、テレビ電話の普及により通信料拡大できるといった効果が期待できるのは勿論であるが、一般的なテレビ電話通信時よりも、広告提供者が負担するパケット交換での広告情報配信料の分、通信料が拡大できるといった効果がある。
【００６３】
さらに、広告提供者にとっても、事前に登録されたユーザ情報からユーザの需要に合った情報を、身近なツールである携帯電話を介して提供することが可能であり、広告効果が期待できる。
【００６４】
なお、本発明は上述の実施の形態に限定されるものではなく、たとえば図３のステップ１１４のテレビ電話通信の発信時に、「広告表示を行うか否か」をユーザに選択させる機能を持たせてもよい。またステップ１２３の再生終了した時点でも同様に「広告表示を続けるか否か」をユーザに選択させる機能を持たせることも可能である。これによって、よりユーザの需要に合わせたサービスの提供が可能となる。
【００６５】
また、上述の実施の形態では、無線通信を行う移動機（携帯電話機）どうしでテレビ電話通信を行う場合に本発明を適用する例について説明したが、本発明はこれに限られるものではなく、携帯電話機どうしのテレビ電話通信、携帯電話機と固定電話機とのテレビ電話通信、固定電話機どうしのテレビ電話通信など、どのような形態のテレビ電話通信においても適用可能なものである。
【００６６】
また、電話機の表示画面に表示するのは広告情報に限らない。
【図面の簡単な説明】
【００６７】
【図１】本発明によるテレビ電話通信を利用した広告情報配信システムの一実施の形態のシステム構成を示すブロック図である。
【図２】図１に示した実施の形態におけるテレビ電話通信機能を実現する移動機１の内部構成を示す図である。
【図３】図１に示したテレビ電話通信を利用した広告情報配信システムの動作を示すフローチャートであり、移動機１のテレビ電話通信の発信時の動作を示す図である。
【図４】図１に示したテレビ電話通信を利用した広告情報配信システムの動作を示すフローチャートであり、移動機１のテレビ電話通信の終話時の動作を示す図である。
【図５】図１に示したテレビ電話通信を利用した広告情報配信システムの動作を示すフローチャートであり、広告配信サーバ７の動作を示す図である。
【図６】テレビ電話通信で用いられる移動機の表示画面に表示される内容の例を示す図であり、（ａ）は従来のテレビ電話通信で用いられる移動機の表示画面の表示領域を示す図であり、（ｂ）は図１に示した広告情報配信システムの移動機の表示画面の表示領域を示す図である。
【符号の説明】
【００６８】
１  移動機
２  基地局
３  ＲＮＣ
４  回線交換網
５  パケット交換網
６  課金ゲートウェイ
７  広告配信サーバ
【図１】
2007235539.tif 000003
【図２】
2007235539.tif 000004
【図３】
2007235539.tif 000005
【図４】
2007235539.tif 000006
【図５】
2007235539.tif 000007
【図６】
2007235539.tif 000008